(57)【要約】【課題】  十分なスペースがない場所においても容易にパネルを連結することができる板状パネルを提供する。【解決手段】  略矩形の板状パネル１における縁辺同士を接合することにより連結する板状パネル１であって、対向する２つの縁辺に、それぞれの板状パネル同士を接合するための接合部１０を備え、２つの縁辺に設けられた接合部１０は、ともに、縁辺の厚み方向に所定間隔をおいて板状パネル１の表裏のパネル面に沿ってそれぞれ延出する第１延出部１１および第２延出部１５とを有する。第１延出部１１は、第２延出部１５よりも長く延出方向に形成されると共に、第２延出部１５の長さを超えた部分において、第２延出部１５に近づく方向に曲がる折れ曲り部１２と、その折れ曲り部１２から続いて第１延出部１１の延出方向に伸びる伸長部１３とを有し、第１延出部１１の外表面から伸長部１３に至る段差は、第２延出部１５の厚みより大きく形成されている板状パネル１とする。【選択図】図２
2007051424.tif 000002
【特許請求の範囲】
【請求項１】
略矩形の板状パネルにおける縁辺同士を接合することにより連結する板状パネルであって、
対向する２つの上記縁辺に、それぞれの板状パネル同士を接合するための接合部を備え、
２つの上記縁辺に設けられた上記接合部は、ともに、上記縁辺の厚み方向に所定間隔をおいて板状パネルの表裏のパネル面に沿ってそれぞれ延出する第１延出部および第２延出部とを有し、
第１延出部は、上記第２延出部よりも長く延出方向に形成されると共に、上記第２延出部の長さを超えた部分において、上記第２延出部に近づく方向に曲がる折れ曲り部と、その折れ曲り部から続いて上記第１延出部の延出方向に伸びる伸長部とを有し、
上記第１延出部の外表面から上記伸長部に至る段差は、上記第２延出部の厚みより大きく形成されていることを特徴とする板状パネル。
【請求項２】
前記第１延出部における前記第２延出部の長さを超えた部分に、
前記第２延出部の方向に突出する突出部を備え、
上記突出部は、前記第１延出部から前記第２延出部の内側面までの距離以下の長さであり、
前記第２延出部の先端と前記折れ曲り部の内側面との間における前記第２延出部の延出方向の距離は、前記折れ曲がり部の内側面と前記伸長部の先端との間における前記第１延出部の延出方向の距離よりも長く形成されていることを特徴とする請求項１に記載の板状パネル。
【請求項３】
２つの前記縁辺における２つの前記第１延出部は、それぞれパネルの異なる面に沿って設けられていることを特徴とする請求項１または２に記載の板状パネル。
【請求項４】
前記パネルの少なくとも一方のパネル面に前記縁辺と平行に凹部と凸部を繰返す模様を形成し、
前記第１延出部における前記折れ曲り部の上方の外表面に、上記凹部または上記凸部のいずれか一方を形成すると共に、前記第２延出部の端部外表面に上記凹部または上記凸部のいずれか他方を形成していることを特徴とする請求項１から３のいずれか１項に記載の板状パネル。
【発明の詳細な説明】
【技術分野】
【０００１】
本発明は板状パネルに関する。
【背景技術】
【０００２】
従来から、パネル同士を連結するために、連結されるパネルの各々の縁部に異なる形状の雌雄の連結部を設け、嵌合することにより連結する構造が知られている。
【０００３】
【特許文献１】特開平１１−１７２８８４号公報（要約および図１）
【特許文献２】特開平１１−１３１６８５号公報（要約および図１）
【発明の開示】
【発明が解決しようとする課題】
【０００４】
しかし、上記公報に開示されているような異なる形状の連結部を嵌合させることによりパネルを連結する場合、パネル縁部の長手方向の先端から他方の後端を挿入することにより連結させる方法しか採用することができない。このため、このような連結方法は、作業スペースとして、必然的にパネル２枚分の長手方向の長さを必要とする。
【０００５】
したがって、パネルを連結するスペースがパネル２枚分の長手方向の長さに満たない場合には、パネルを連結することができない。この結果、組立てに必要なスペースが確保できないときには、別の場所で組立てたパネルを搬入する等の別の作業が発生するという問題が生じる。
【０００６】
本発明は、上述の事情を鑑み、十分なスペースがない場所においても容易にパネル同士を連結することできる板状パネルを提供することを目的とする。
【課題を解決するための手段】
【０００７】
上述の目的を達成するため、本発明は、略矩形の板状パネルにおける縁辺同士を接合することにより連結する板状パネルであって、対向する２つの縁辺に、それぞれの板状パネル同士を接合するための接合部を備え、２つの縁辺に設けられた接合部は、ともに、縁辺の厚み方向に所定間隔をおいて板状パネルの表裏のパネル面に沿ってそれぞれ延出する第１延出部および第２延出部とを有し、第１延出部は、第２延出部よりも長く延出方向に形成されると共に、第２延出部の長さを超えた部分において、第２延出部に近づく方向に曲がる折れ曲り部と、その折れ曲り部から続いて第１延出部の延出方向に伸びる伸長部とを有し、第１延出部の外表面から伸長部に至る段差は、第２延出部の厚みより大きく形成されている板状パネルとしている。
【０００８】
これにより、２枚の板状パネルの縁辺部をそれらの幅方向から近接させることにより、板状パネル同士を連結することができる。
【０００９】
また、他の発明は、先の発明の第１延出部における第２延出部の長さを超えた部分に、第２延出部の方向に突出する突出部を備え、突出部は、第１延出部から第２延出部の内側面までの距離以下の長さであり、第２延出部の先端と折れ曲り部の内側面との間における第２延出部の延出方向の距離は、折れ曲がり部の内側面と伸長部の先端との間における第１延出部の延出方向の距離よりも長く形成されている板状パネルとしている。
【００１０】
これにより、板状パネルの縁辺部分をその幅方向から近接させ、厚み方向から組合せることにより、板状パネル同士を連結することができる。また、両板状パネルを連結した状態において、突出部同士の間に別部材を挿入することにより、板状パネル同士を強く連結することができる。
【００１１】
さらに、他の発明は、先の各発明において、２つの縁辺における２つの第１延出部は、それぞれパネルの異なる面に沿って設けられている板状パネルとしている。
【００１２】
これにより、板状パネル同士の面を逆にすることなく、同一面を表にして、連結することができる。
【００１３】
また、他の発明は、先の各発明において、板状パネルの少なくとも一方のパネル面に縁辺と平行に凹部と凸部を繰返す模様を形成し、第１延出部における折れ曲り部の上方の外表面に、凹部または凸部のいずれか一方を形成すると共に、第２延出部の端部外表面に凹部または凸部のいずれか他方を形成している板状パネルとしている。
【００１４】
これにより、パネルの模様がとぎれることなく連続することになるため、板状パネル同士の連結部分（つなぎ目）が判らなくり、美感を損なわない。
【発明の効果】
【００１５】
本発明によれば、十分なスペースがない場所においても容易に板状パネル同士を連結することできる。
【発明を実施するための最良の形態】
【００１６】
次に、本発明に係る板状パネルの実施の形態について、図面を参照しながら説明する。
【００１７】
本実施の形態に係る板状パネル１は、アルミ合金を成形した板材である。なお、材質はこれに限定されるものではく、板状パネル１が設置される条件により、種々の材質を選択することができる。
【００１８】
図１は、本実施の形態に係る板状パネル１の斜視図である。また、図２は、図１のＡ−Ａ線で切ったときの板状パネル１の断面図である。さらに、図３（Ａ）は、図２に示す板状パネル１の正面左側の接合部１０近傍を拡大した図である。また、図３（Ｂ）は、図２に示す板状パネル１の正面右側の接合部１０近傍を拡大した図である。なお、図１に示すＸ，ＹおよびＺ方向を、それぞれ長手方向、幅方向および厚さ方向と称して以下、説明する。
【００１９】
板状パネル１の長手方向の両縁辺には、板状パネル１の幅方向に沿ってそれぞれ接合部１０，１０が設けられている。このように、両縁辺に接合部１０，１０を設けることにより、板状パネル１同士を長手方向に複数枚連結することができる。また、板状パネル１のパネル表面２０には、それぞれの幅が等しい凸部２０ａおよび凹部２０ｂが、交互に板状パネル１の縁辺と平行に板状パネル１の長手方向に、帯状に設けられている。なお、板状パネル１本体の裏面（パネル表面２０の上下の対称面）には、装飾が施されていない。特に装飾を必要とすることなく、板状パネル１を設置する場合は、裏面を表として利用することもできる。
【００２０】
また、板状パネル１は、軽量化を図るために、仕切部２３を介して空隙２１，２２が設けられている。なお、空隙２１，２２は、採用する材質の強度や重さによって、より大きくしたり、逆に小さくすることができ、さらには省略することもできる。
【００２１】
凸部２０ａおよび凹部２０ｂは、それぞれ略台形の突起および溝であり、突起の表面の幅と溝の底面の幅が等しく成形されている。これにより、均等な幅をもつ線状の装飾がパネル表面２０に施されることになるため、板状パネル１の美観を向上させることができる。
【００２２】
接合部１０は、略凹形状であって、板状パネル１の一方の面と面一に設けられた第１延出部１１と、第１延出部１１から厚さ方向の内側に向って垂直に立ち上がり、先端に突出部１４を設けた折り曲り部１２と、折り曲り部１２の中央近傍から第１延出部１１の延出方向と略平行に延出する伸長部１３と、第１延出部１１が設けられた面と対称の面に設けられ、第１延出部１１と略平行に延出する第２延出部１５と、他方の接合部１０と接合すると共に、板状パネル１同士を接合部１０によって連結した状態において、後述する固定ピン３を挿入するための中空部１７を形成する接合部空間１６と、を備えている。
【００２３】
第１延出部１１は、板状パネル１の面と所謂面一の位置から水平に延出し、後述する第２延出部１５の長さよりも延出方向に長く形成されていると共に、先端に折り曲り部１２が設けられている。なお、本実施の形態の第１延出部１１は、好適な例として、板状パネル１の表裏の面に対称に設けられているが、この形態に限定されない。板状パネル１の幅方向に延びる中心線に線対称となるように、第１延出部１１を設けてもよい（図７参照）。
【００２４】
折り曲り部１２は、第１延出部１１の先端から第２延出部１５の方向へ向って垂直に形成されると共に、その先端に突出部１４が設けられている。突出部１４は、板状パネル１同士を接合部１０によって連結した状態において、連結される板状パネル１の第１延出部１１を接合部空間１６側から支持する。さらに、後述する折り曲り部１２および突出部１４は、板状パネル１同士を接合部１０によって連結した状態において、第１延出部１１と共に、固定ピン３を挿入するための中空部１７を形成する。
【００２５】
伸長部１３は、折り曲り部１２の中央近傍から第１延出部１１と平行、かつ第１延出部１１と同じ方向に延出するように設けられている。伸長部１３の水平断面形状は、先端が垂直に切られた矩形である。伸長部１３は折り曲り部１２の中央近傍から延出しているため、第１延出部１１の面と伸長部１３の面との間には、段差がある。この段差部分（伸長部１３の背面から折り曲り部１２と交差する部分と第１延出部１１の幅の差に該当する部分）は、板状パネル１同士を接合部１０によって連結した状態において、第２延出部１５の上面から先端部と当接する部分である。
【００２６】
さらに、図３（Ａ）に示すように、当該段差部分の幅ｈ１は、第２延出部１５の厚みｈ２よりも大きく、かつ両形状が雌雄一対の形状をなすように形成されている。これにより、板状パネル１同士を連結するときに、両板状パネル１同士を確実に係止させることができると共に、板状パネル１の面同士を面一な状態で連結することができる。
【００２７】
突出部１４は、折り曲り部１２の先端に設けられ、かつ折り曲り部１２と共に、連結される板状パネル１の第１延出部１１を接合部空間１６側から支持する。突出部１４の水平断面形状は、先端が板状パネル１の内部に向って斜めに切られた矩形である。また、突出部１４の長さは、第１延出部１１の内側面と第２延出部１５の内側面の間の距離よりも短く形成されている。これにより、接合部１０同士を当接するときに、接合部空間１６に伸長部１３および突出部１４をスムーズに挿入させることができる。
【００２８】
第２延出部１５は、板状パネル１の面と所謂面一の位置から水平に延出し、上述した第１延出部１１の長さよりも延出方向に短く形成されている。また、第２延出部１５は、板状パネル１同士を接合部１０によって連結した状態において、上述した伸長部１３の背面から折り曲り部１２と交差する部分と第１延出部１１の幅の差に該当する段差部分に載置される。第２延出部１５の水平断面形状は、先端が接合部空間１６側に向って斜めに切られた矩形である。この第２延出部１５の先端面から内側面にわたる部分は、上述した伸長部１３の背面から折り曲り部１２と交差する部分と第１延出部１１の幅の差に該当する段差部分と当接する部分であり、両形状が雌雄一対の形状となるように形成されている。これにより、板状パネル１同士を連結するときに、両板状パネル１を確実に係止させることができる。
【００２９】
また、図３（Ａ）に示すように、凹部２０ｂの底面幅Ｗ１と第２延出部１５の幅Ｗ２は等しい幅（Ｗ１＝Ｗ２）に形成されている。これにより、板状パネル１同士が連結されたときに、第２延出部１５の表面１５ａは、凹部２０ｂの代替となる。したがって、需要者が連結された板状パネル１同士の表面を観たときに、凸部２０ａおよび凹部２０ｂが均等な幅を維持した状態で連続するため、板状パネル１同士の連結部分（つなぎ目）が外から観たときに全く判らなくなる。
【００３０】
さらに、図３（Ａ）に示すように、第２延出部１５から折り曲り部１２および突出部１４の内側面までの距離Ｌ１は、折り曲り部１２および突出部１４の内側面から伸長部１３の先端までの距離Ｌ２よりも、長くなるように形成されている。これにより、一方の板状パネル１の接合部１０と、他方の板状パネル１の接合部１０とを、板状パネル１の厚さ方向（Ｚ方向）に近接させて、一方の板状パネル１の伸長部１３および突出部１４を他方の板状パネル１の接合部空間１６にスムーズに挿入することができる。
【００３１】
次に、板状パネル１同士を固定するための棒材である固定ピン３について説明する。
【００３２】
図４は、板状パネル１同士を固定するための固定ピン３の拡大斜視図である。
【００３３】
固定ピン３は、鉄を主とする合金製の管体であり、固定ピン３の周縁の一部にその長さ方向にわたって波形切欠３１が設けられている。この波形切欠３１により、固定ピン３が後述する中空部１７に挿入されたときに、固定ピン３がかしめられることになる。このため、板状パネル１同士を確実に固定することができる。また、固定ピン３の両端部は、長さ方向の先端に向うに従い、固定ピン３本体の直径に比べて端部の直径が小さくなるように設計されている。これにより、固定ピン３を中空部１７内に容易に挿入することができる。
【００３４】
本実施の形態の固定ピン３の両端部の直径は約４ｍｍである。また、固定ピン３の長さは約２０ｍｍである。なお、上記固定ピン３の規格および素材は好適な例であり、上述した規格また素材に限定されない。板状パネル１の規格や中空部１７の大きさにより、種々な規格または素材の固定部材を採用することができる。
【００３５】
次に、板状パネル１同士を連結する工程について、図５に基づいて説明する。
【００３６】
図５は、板状パネル１同士を連結する工程を示す図である。図５（Ａ）は接合部１０同士を板状パネル１の厚さ方向（図５における上下方向）に当接させた状態を示す図である。また、図５（Ｂ）は、当接後の接合部１０同士を互いに長手方向に近接させることにより、中空部１７が形成された状態を示す図である。さらに、図５（Ｃ）は、形成された中空部１７に固定ピン３が挿入された状態を示す図である。
【００３７】
まず、作業者は、それぞれの接合部空間１６内に伸長部１３および突出部１４が収まるように、接合部１０同士を当接させる（図５（Ａ）参照）。このとき、図３（Ａ）で示したＬ２に該当する部分が、接合部空間１６のＬ１の幅の空隙内に収まった状態となっている。
【００３８】
次に、作業者は、一方の伸長部１３の先端を他方の接合部空間１６の内側に押し込むことにより、両板状パネル１を近接させる。具体的には、雌雄一対の形状となっている伸長部１３と第１延出部１１の段差部分および第２延出部１５の内側面同士を隙間なく近接させる。このとき、それぞれの第１延出部１１の内側面および折り曲り部１２ならびに突出部１４の内側部分により、固定ピン３を挿入する枠材となる中空部１７が形成される（図５（Ｂ）参照）。
【００３９】
最後に、作業者は、固定ピン３を中空部１７に金槌等の器具で打込むことにより挿入し、板状パネル１同士を固定する（図５（Ｃ）参照）。
【００４０】
本発明の板状パネルの好適な実施の形態は上述したとおりであるが、本実施の形態に係る板状パネル１は、建物用のパネル以外の他の用途にも利用することができる。
【００４１】
図６は、板状パネル１が病院内の銘板として利用されている一例を示す図である。
【００４２】
本実施の形態の板状パネル１は、銘板として適当な大きさに加工され、２枚を連結した状態にて、壁面に固定された支持枠４０，４１により支持されている。また、板状パネル１の表面には、診察科および担当医の名前が印刷された透明フィルム４が貼り付けられている。
【００４３】
上述のように、本実施の形態では、好適な例として、板状パネル１の対向する縁辺に表裏に対称に接合部１０，１０を設けると共に、パネル表面２０に凸部２０ａおよび凹部２０ｂを設けたものについて説明した。しかし、本発明に係る板状パネルは、上述した形態に限定されることなく、板状パネル１が設置される条件に応じて、様々な形態を採用することができる。
【００４４】
図７は、本発明の板状パネル１の他の実施の形態として、両縁辺に同じ向きに設けた接合部１０，１０を有する板状パネル１を示す図である。図８は、本発明に係る板状パネルの他の実施の形態として、パネル表面２０を面一にすると共に、突出部１４を省略した板状パネル１を示す図である。なお、図７および図８において、理解を容易にするために、先の図面で示された部材と同一の部材には、同じ符号を付している。
【００４５】
図７に示す板状パネル１は、左右の両縁にパネル表面２０から延出する第１延出部１１を備えた接合部１０を設けたものである。また、図示は省略するが、パネル表面２０ではなく、裏面の左右の両縁に第１延出部１１を備えた接合部１０を設けてもよい。
【００４６】
さらに、図８に示す板状パネル１は、パネル表面２０に凸部２０ａおよび凹部２０ｂを設けることなく面一にすると共に、突出部１４を省略したものである。板状パネル１同士を連結したときのつなぎ目を判らなくする必要がないとき等は、凸部２０ａおよび凹部２０ｂを設けないようにすることもできる。また、図８に示すように突出部１４を設けない場合には、板状パネル１同士を連結した状態において、接合部空間１６内に中空部１７は形成されない。しかし、接合空間部１６内に大きな固定部材を挿入することによって、板状パネル１同士を強固に連結することが可能である。
【００４７】
また、突出部１４を設けない場合には、厚さ方向への若干の近接動作が生じるが、基本的に、両板状パネル１，１の接合部１０，１０を長手方向に近接する動作によって、板状パネル同士を連結することができる。したがって、板状パネル１同士の連結に際して、先に述べた板状パネル１と同様、大きなスペースが不要となる。また、伸長部１３と第１延出部１１との間の段差と、第２延出部１５の厚さとをほぼ同一とすることにより、次のような効果を有する。すなわち、接合部１０同士を互いに接するように連結するようにして、接合部空間１６内に何らの固定部材を挿入せずに、板状パネル１同士を強固に連結させることができる。
【産業上の利用可能性】
【００４８】
本発明は、建物の内壁用のパネルとして利用することができる。また、建物内の各部屋を示す銘板としても利用することができる。
【図面の簡単な説明】
【００４９】
【図１】図１は、本発明の実施の形態に係る板状パネルの斜視図である。
【図２】図２は、図１のＡ−Ａ線で切ったときの板状パネルの断面図である。
【図３】図３（Ａ）は、図２に示す板状パネルの正面左側の接合部近傍を拡大した図であり、（Ｂ）は、図２に示す板状パネルの正面右側の接合部近傍を拡大した図である。
【図４】図４は、図１に示す板状パネル同士を固定するための固定ピンの拡大斜視図である。
【図５】図５は、図１に示す板状パネル同士を連結する工程を示す図でり、（Ａ）は接合部同士を厚さ方向に当接させた状態を示す図であり、（Ｂ）は当接後の接合部同士を互いに長手方向に近接させることにより、中空部が形成された状態を示す図であり、（Ｃ）は形成された中空部に固定ピンが挿入された状態を示す図である。
【図６】図６は、本発明の実施の形態に係る板状パネルが病院内の銘板として利用されている一例を示す図である。
【図７】図７は、本発明の実施の形態に係る板状パネルの他の実施の形態として、両縁辺に同じ向きに設けた接合部を有する板状パネルを示す図である。
【図８】図８は、本発明の実施の形態に係る板状パネルの他の実施の形態として、パネル表面を面一にし、かつ突出部のない板状パネルを示す図である。
【符号の説明】
【００５０】
１…板状パネル、３…固定ピン（棒材）、４…透明フィルム、１０…接合部、１１…第１延出部、１２…折れ曲り部、１３…伸長部、１４…突出部、１５…第２延出部、１６…接合部空間、１７…中空部、２０…パネル表面、２０ａ・・・凸部、２０ｂ・・・凹部、２１…空隙、２２…空隙、２３…仕切部、３１…波形切欠、４０…支持枠、４１…支持枠
【図１】
2007051424.tif 000003
【図２】
2007051424.tif 000004
【図３】
2007051424.tif 000005
【図４】
2007051424.tif 000006
【図５】
2007051424.tif 000007
【図６】
2007051424.tif 000008
【図７】
2007051424.tif 000009
【図８】
2007051424.tif 000010